(57)【要約】【課題】ゴミが排水中に混入することを防いで雨水をスムースに竪樋に排水することが可能で、軒樋の気温の変化による水平方向の伸縮を逃がし、軒樋の変形や破損を防ぐことができる軒樋用ドレンを提供する。【解決手段】排水上筒１と排水下筒２とからなる軒樋用ドレンＡであって、該排水上筒１は網目体１１とこの網目体１１に連設された篭状体１２とからなり、該篭状体１２はリング部１２１とこのリング部１２１と網目体１１とを連結する複数のリブ１２２とからなるとともに、該リブ１２２の外周面には雄ネジ１２３が設けられ、上記排水下筒２はフランジ部２１とアダプタ筒体２２とからなり、このアダプタ筒体２２の内周面には上記リブ１２２の外周面に設けられた雄ネジ１２３と螺合する雌ネジ２２１が螺刻され、上記アダプタ筒体２２は軒樋４の底面４１に設けられた貫通孔５に遊嵌合してなる軒樋用ドレンＡ。【選択図】図２
2009127273.tif 000002
【特許請求の範囲】
【請求項１】
排水上筒と排水下筒とからなる軒樋用ドレンであって、該排水上筒は網目体とこの網目体に連設された篭状体とからなり、該篭状体はリング部とこのリング部と網目体とを連結する複数のリブとからなるとともに、該リブの外周面には雄ネジが設けられ、上記排水下筒はフランジ部とアダプタ筒体とからなり、このアダプタ筒体の内周面には上記リブの外周面に設けられた雄ネジと螺合する雌ネジが螺刻され、上記アダプタ筒体は軒樋の底面に設けられた貫通孔に遊嵌合してなる軒樋用ドレン。
【請求項２】
上記アダプタ筒体には竪樋が接続される竪樋接続部が連設されてなる請求項１に記載の軒樋用ドレン。
【請求項３】
上記網目体の網目構造の粗さが篭状体の格子構造の粗さよりも密とされた請求項１に記載の軒樋用ドレン。
【請求項４】
上記排水上筒と排水下筒とが、おのおの合成樹脂から一体的に成形された請求項１に記載の軒樋用ドレン。
【発明の詳細な説明】
【技術分野】
【０００１】
本願発明は、軒樋から竪樋へ排水する際に用いられる軒樋用ドレンに関し、更に詳しくは、軒樋の底面の落とし口に嵌設され、落ち葉や枯れ枝、紙切れ等のゴミを避ける機能を有する軒樋用ドレンに関するものである。
【背景技術】
【０００２】
建物の屋根に降った雨水は、軒先に取り付けられた軒樋に流れて、集水ます等を経て竪樋等の排水経路に排出される。通常、屋根の先端部から落下する雨水は、軒樋に流れ込むが、このとき、落ち葉や枯れ枝等のゴミが混入し、このゴミが軒樋と竪樋とを結ぶ集水ますの落とし口の周囲に堆積して排水が困難となることが多い。
【０００３】
そのため、軒樋用ドレンと呼ばれる網目状のゴミ避け体で上記落とし口の上方を覆い、竪樋の排水中へのゴミ等の混入を阻止しているが、時間と共にゴミ避け体の周囲にゴミが堆積し、排水機能が低下する。このようなときに、大雨が降ると、軒樋に溜まった水が溢れ、軒樋から直接水が落下するという事態となる。
【０００４】
上記した軒樋は、通常、合成樹脂成形品であり、気温の変化により伸縮し、施工後、寒暖に伴い軒先長手方向に沿って水平移動するため、軒樋や竪樋が変形したり、破損するという問題が生じ、同時に竪樋に固定されているドレンにも応力が加わり、軒樋用ドレンにも変形や破損が生じるおそれがある。そこで、上記問題を解決するため、実開平０５−０３４２２５号公報には、軒樋の気温の変化による伸縮を吸収する機構を具えたプラスチック軒樋ドレンが開示されている。
【０００５】
本願図５に上記プラスチック軒樋ドレンＢの一実施例を展開斜視図により示す。図５に示されているように、上記プラスチック軒樋ドレンＢは、上方の網部１１ａと下方の雄ねじ部１３ａとの中間に鍔片１２ａを具えた網体１ａと、短筒体２２ａの上端に鍔部２１ａを具え、またその内壁に上記網体１ａの雄ねじ部１３aに螺合する雌ねじ部２３ａを具えると共に短筒体２２ａの外壁に２本の係止片２５a、２６ａを並設してなる係止部２４ａを具えた差口体２ａと、上方に上記差口体２ａを受入れる開口部３１ａを有し、下方に竪樋嵌合部３４ａを具えると共に、上記開口部３１ａの内壁３２ａの対向壁に上記差口体２ａの係止部２４ａにスライド自在に挿着する係着突条３３ａ、３３ａを対向突設した受口体３ａとからなるものである。
【０００６】
そして、上記差口体２ａの係止部２４ａの係止片２５ａと２６ａとの間隙は、受口体３ａの係着突条３３ａの肉厚より若干広く設定し、また係着突条３３ａの長さは係止部２４ａの長さより長くしてスライド調整幅に余裕をもたせているため、差口体２ａと受口体３ａとの間がスライド自在とされ、気温の変化による軒樋の膨張、収縮を吸収して軒樋や竪樋の変形、破損を防止することができる、とその効果が述べられている。
【特許文献１】実開平０５−０３４２２５号公報（第１〜２頁、第１図、第３図）
【発明の開示】
【発明が解決しようとする課題】
【０００７】
しかしながら、上記特許文献１に記載のプラスチック軒樋ドレンにあっては、軒樋の気温の変化による伸縮に伴なう応力を吸収するために逃げ場を設け、軒樋や竪樋が変形したり、破損することを防ぐという面においては効果がみられるものの、軒樋用ドレンと呼ばれる網目状のゴミ避け体の周囲に落ち葉や枯れ枝、紙切れ等のゴミが堆積して詰まり、前記したように、雨水の竪樋への流下が阻止されるという問題を解決することはできない。
【０００８】
本願発明は、上記背景技術に鑑みてなされたものであり、その目的は、軒樋を流れる雨水中に混入する落ち葉や枯れ枝、紙切れ等のゴミが竪樋の排水中に混入することを防ぎ、雨水をスムースに竪樋に排水することができるとともに、軒樋の気温の変化による水平方向の伸縮を逃がし、軒樋の変形や破損を防ぐことが可能な軒樋用ドレンを提供することである。
【課題を解決するための手段】
【０００９】
上記課題を解決するために、本願請求項１記載の発明に係る軒樋用ドレンは、排水上筒と排水下筒とからなる軒樋用ドレンであって、該排水上筒は網目体とこの網目体に連設された篭状体とからなり、該篭状体はリング部とこのリング部と網目体とを連結する複数のリブとからなるとともに、該リブの外周面には雄ネジが設けられ、上記排水下筒はフランジ部とアダプタ筒体とからなり、このアダプタ筒体の内周面には上記リブの外周面に設けられた雄ネジと螺合する雌ネジが螺刻され、上記アダプタ筒体は軒樋の底面に設けられた貫通孔に遊嵌合してなることを特徴としている。
【００１０】
本願請求項２記載の発明は、上記請求項１記載の軒樋用ドレンにおいて、上記アダプタ筒体には竪樋が接続される竪樋接続部が連設されてなることを特徴としている。
【００１１】
本願請求項３記載の発明は、上記請求項１記載の軒樋用ドレンにおいて、上記網目体の網目構造の粗さが篭状体の格子構造の粗さよりも密とされたことを特徴としている。
【００１２】
本願請求項４記載の発明は、上記請求項１記載の軒樋用ドレンにおいて、上記排水上筒と排水下筒とが、おのおの合成樹脂から一体的に成形されたことを特徴としている。上記合成樹脂としては、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などの弾性を有する合成樹脂が用いられる。
【発明の効果】
【００１３】
本願請求項１記載の発明に係る軒樋用ドレンにおいては、排水上筒と排水下筒とからなり、該排水上筒は網目体とこの網目体に連設された篭状体とから構成されてなり、上記排水下筒はフランジ部とアダプタ筒体とからなるとともに、このアダプタ筒体の内周面には上記篭状体を構成するリブの外周面に設けられた雄ネジと螺合する雌ネジが螺刻されているため、上記排水上筒と排水下筒との上下の位置関係を雄ネジと雌ネジとの螺合を調節することにより、変化させることができる。
【００１４】
そして、雨量の多い梅雨時や落ち葉や枯葉の多い季節等、あるいは多雨地帯においては、上記アダプタ筒体と篭状体との螺合を排水上筒が上昇する方向に回転し、篭状体のリブとリブとの格子空間を露出させ、多量の雨水を排出する排水空間を確保することができる。また、大雨や、通常の降雨等、その時々に応じて排水量を確保するように上記排水上筒の上昇度を調節することができる。
【００１５】
さらに、上記アダプタ筒体は軒樋の底面に設けられた貫通孔に遊嵌合しているため、気温の変化による軒樋の水平方向の伸縮を逃がし、軒樋の変形や破損を防ぐことができる。ここで、上記フランジ部と軒樋底面との間に水密性パッキンを介装することにより、止水性と共に気温の変化による軒樋の伸縮に対する追従性を保持することもできる。
【００１６】
本願請求項２記載の発明に係る軒樋用ドレンにおいては、特に、上記アダプタ筒体には竪樋が接続される竪樋接続部が連設されているため、この竪樋接続部に竪樋を直接、または、エルボ等を介して間接的に接続することにより雨水を排水管等の排水経路に排出することができる。通常、上記接続は、竪樋接続部の外周面に接着剤を塗布し、竪樋接続部に竪樋を外嵌することにより行われ、このようにすることにより、竪樋接続部に竪樋はしっかりと接着され、雨水を確実に排水することができる。
【００１７】
本願請求項３記載の発明に係る軒樋用ドレンにおいては、特に、上記網目体の網目構造の粗さが篭状体の格子構造の粗さよりも密とされているため、落ち葉や枯葉、紙切れ等の雨水に浮かんで流れるゴミは上部の網目体で阻止され、網目体はゴミ避け体として機能し、篭状体の格子空間を排水空間として、排水性を確保することができる。
【００１８】
本願請求項４記載の発明に係る軒樋用ドレンにおいては、特に、上記排水上筒と排水下筒とを、おのおの安価な合成樹脂から一体的に成形することにより、施工コストを抑えることできる。このとき、上記軒樋用ドレンを軒樋と同じ種類の合成樹脂とすることにより、馴染みよくし、作業性よく施工することができる。
【発明を実施するための最良の形態】
【００１９】
図１は、本願発明に係る軒樋用ドレンＡを分解して示す部分断面正面図である。図２は、図１に示す排水上筒１と排水下筒２とからなる軒樋用ドレンＡを軒樋４に装着する状態を示す分解説明図である。図１、図２に示すように、排水上筒１は上部が網目体１１とされ、下部が篭状体１２とされるとともに、これらが連設され、上記篭状体１２はリング部１２１とこのリング部１２１と上記網目体１１とを連結する複数のリブ１２２とから構成される。また、リブ１２２の略中央部より下の外周面には雄ネジ１２３が設けられ、網目体１１の網目空間の粗さは、篭状体１２の格子空間の粗さよりも密とされている。
【００２０】
一方、上記排水下筒２はフランジ部２１と上記排水上筒１の篭状体１２を受けるアダプタ筒体２２とからなり、このアダプタ筒体２２の内周面には上記リブ１２２の外周面に設けられた雄ネジ１２３と螺合する雌ネジ２２１が螺刻され、アダプタ筒体２２の下部には竪樋が接続される竪樋接続部３が連設して構成される。
【００２１】
ここで、図２に示すように、排水下筒２のアダプタ筒体２２の直径ｄは、軒樋４の底面４１に設けられた貫通孔５の直径Ｄよりもやや小さくされ、軒樋４の気温の変化による伸縮を逃がすように、アダプタ筒体２２は上記貫通孔５に遊嵌合する。上記貫通孔５に遊嵌合されたアダプタ筒体２２は、さらに竪樋接続部３を介して竪樋６に接続される。このとき、フランジ部２１の下面と軒樋４の底面４１との間に水密用のパッキンを介装し、止水効果を向上させることもできる。なお、符号４２は軒樋４の前耳部を示し、符号４３は後耳部を示す。
【００２２】
図３は、上記アダプタ筒体２２と篭状体１２との螺合を排水上筒１が上昇する方向に回転させ、軒樋４の底面４１に設けられた貫通孔５に上記アダプタ筒体２２を遊嵌合させた状態を示す断面図である。上記したように、上記網目体１１の網目構造の粗さは、篭状体１２の格子構造の粗さよりも密とされているため、網目体１１の網目空間よりも篭状体１２の格子空間が大となり、例えば、梅雨時等の大雨で軒樋の中を流れる雨水が増えても、排水上筒１を上昇させることにより、上記篭状体１２の格子空間が排水空間となり、大量の雨水を排水することができる。
【００２３】
このとき、落ち葉等のゴミＸは水面に浮き、排水上筒１の上部を構成する網目体１１がゴミ避け体としてその機能を発揮し、竪樋接続部３に接続される竪樋６の雨水に混在して上記ゴミＸが流下することを阻止する。また、既述のように、アダプタ筒体２２の直径ｄを、軒樋４の底面４１に設けられた貫通孔５の直径Ｄよりもやや小さくすることにより隙間５１が生じるため、軒樋の気温の変化による伸縮をこの隙間で逃がすことが可能となり、軒樋が変形したり、破損することを防げる。このとき、図示しないが、フランジ部２１の下面と軒樋４の底面４１との間に、合成ゴム、軟質プラスチック等からなる水密用のパッキンを介装し水密性を向上させるとともに、軒樋の伸縮に対する追従性を保持することも可能である。
【００２４】
図４は、上記アダプタ筒体２２と篭状体１２との螺合を篭状体１２の外周面に設けられた雄ネジ１２３が隠れる程度、すなわち、篭状体１２が約１／２露出するように回転させ、軒樋４の底面４１に設けられた貫通孔５に上記アダプタ筒体２２を遊嵌合させた状態を示す断面図である。図４に示す状態においては、かなりの降雨量があるとき、軒樋４を流れる雨水の水面に浮いた落ち葉等のゴミＸは排水上筒１の上部の網目体１１で阻止され、篭状体１２の上部の格子空間を排水空間として、排水性を確保することができる。ここで、図示しないが、図３に示す場合と同様に、水面に浮かんで流れてくるゴミは排水上筒１の上部を構成する網目体１１によって阻止され、竪樋接続部３に接続される竪樋６に雨水と共に上記ゴミＸが流下することが防止される。
【００２５】
また、上記アダプタ筒体２２と篭状体１２との螺合状態を網目体１１のみがが見える程度に調節することも可能であり、このとき、網目体１１はゴミ避け体として機能し、通常の公知の軒樋ドレンを構成する。
【００２６】
なお、上記実施形態においては、ドーム形とした形態を示したが、円筒体としてもよい。要するに、排水上筒１の上部の網目体１１の網目空間を下部の篭状体１２の上部の格子空間よりも密とすればよい。このように、本願発明は設計変更自在であり、特許請求の範囲を逸脱しない限り、本願発明の技術的範囲に属する。
【図面の簡単な説明】
【００２７】
【図１】本願発明に係る軒樋用ドレンを分解して示す部分断面正面図。
【図２】本願発明に係る軒樋用ドレンを軒樋に装着する状態を示す分解説明図。
【図３】本願発明に係るアダプタ筒体と篭状体との螺合を排水上筒が上昇する方向に回転させ、軒樋の底面に設けられた貫通孔にアダプタ筒体を遊嵌合させた状態を示す断面図。
【図４】本願発明に係るアダプタ筒体と篭状体との螺合を篭状体に約１／２が露出するように回転させ、軒樋の底面に設けられた貫通孔にアダプタ筒体を遊嵌合させた状態を示す断面図。
【図５】公知のプラスチック軒樋ドレンを示す展開斜視図。
【符号の説明】
【００２８】
Ａ      本願発明にかかる軒樋用ドレン
ｄ      アダプタ筒体の直径
Ｄ      貫通孔の直径
Ｘ      ゴミ
１      排水上筒
１１    網目体
１２    篭状体
１２１  リング部
１２２  リブ
１２３  雄ネジ
２      排水下筒
２１    フランジ部
２２    アダプタ筒体
２２１  雌ネジ
３      竪樋接続部
４      軒樋
４１    底面
４２    前耳部
４３    後耳部
５      貫通孔
５１    隙間
６      竪樋
Ｂ      公知のプラスチック軒樋ドレン
【図１】
2009127273.tif 000003
【図２】
2009127273.tif 000004
【図３】
2009127273.tif 000005
【図４】
2009127273.tif 000006
【図５】
2009127273.tif 000007